(57)【要約】【課題】案内を表示するだけではなく、人々が休息したり運動したりして健康の増進に役立てることができる案内表示装置を提供する。【解決手段】この案内表示装置は、間隔をおいて立設された複数の支柱２２，２３間に、板状の表示部２４が取り付けられている。支柱２２，２３の側部に又は支柱の上部に人が体を動かすためのアスレチック器具４１，４２が設けられている。【選択図】図１
2005128569.tif 000002
【特許請求の範囲】
【請求項１】
間隔をおいて立設された複数の支柱間に、板状の表示部が取り付けられてなる案内表示装置において、
該支柱の側部に又は該支柱の上部に人が体を動かすためのアスレチック器具が設けられていることを特徴とする案内表示装置。
【請求項２】
前記アスレチック器具として、前記支柱の側部に平行棒型アスレチック器具が設けられ、該支柱の上部位置に鉄棒型アスレチック器具が前方に水平に突き出すように設けられたことを特徴とする請求項１記載の案内表示装置。
【発明の詳細な説明】
【技術分野】
【０００１】
本発明は、公園、歩道、バス停等の屋外に、地図や各種の案内を表示するために設置される案内表示装置に関する。
【背景技術】
【０００２】
公園、歩道、バス停等に、その地域の地図、その地域で催される各種のイベント案内、或はバスの運行案内等を表示する案内表示板が設置される場合がある。この種の案内表示板は、従来、板状本体の正面に地図や案内を記載した部分を設けただけの簡単な構造のものが殆どであり、付近を通り過ぎる人々やバスを利用する人々が単にその案内を見るために設置した案内表示板にすぎなかった。この種の案内表示板は、従来、下記特許文献１などで提案されている。
【特許文献１】特開平１０-１０２７９９号公報
【発明の開示】
【発明が解決しようとする課題】
【０００３】
このため、例えば、足腰の弱い老人等が案内表示板の近くまで来て、案内表示を見ていた時、疲れて腰を掛けたくなったとしても、付近に椅子がない場合には、腰かけて休むことができないという問題があった。
【０００４】
また、公園等に設置される案内表示板は、一般に、人々が集まる場所に配置されるが、従来の案内表示板は、単に地図やイベントのお知らせ等を表示するのみであるため、付近に集まる人々に対し、良好なコミュニケーションが図れるような、アトラクティーブな部分を設けることが要望されていた。
【０００５】
本発明は、上記の点に鑑みてなされたもので、案内を表示するだけではなく、人々が休息したり運動したりして健康の増進に役立てることができる案内表示装置を提供することを目的とする。
【課題を解決するための手段】
【０００６】
上記目的を達成するために、本発明の請求項１の案内表示装置は、間隔をおいて立設された複数の支柱間に、板状の表示部が取り付けられてなる案内表示装置において、支柱の側部に又は支柱の上部に人が体を動かすためのアスレチック器具が設けられていることを特徴とする。
【０００７】
ここで、上記アスレチック器具として、支柱の側部に平行棒型アスレチック器具を設け、支柱の上部位置に鉄棒型アスレチック器具を前方に水平に突き出すように設けることができる。
【発明の効果】
【０００８】
このような構成の案内表示装置は、その表示部に地図、各種の案内、バス停の運行案内等が記載され、公園、歩道、バス停等に設置される。支柱の側部に又は表示部の上部に人が体を動かすためのアスレチック器具が設けられるから、公園等に設置した場合、案内を表示するだけではなく、そこに集う人々に体の運動を促し、人々がアスレチック器具を使用して運動を行なうことにより、健康の促進を図ることができる。
【発明を実施するための最良の形態】
【０００９】
以下、本発明の実施の形態を図面に基づいて説明する。図１は案内表示装置の正面図を示し、図２はその側面図を、図３はその平面図を示している。この案内表示装置の基本的構成は、立設された２本の支柱２２、２３間に、板状の表示部２４が取り付けられる。両側の支柱２２、２３間に取り付けた表示部２４は、例えば金属板または合成樹脂板の表面に、地図や各種案内を印刷し或は塗布により描画して構成される。更に、支柱２２、２３の前面側で表示部２４の両側に、パイプ状の手摺部材２５、２６が縦に略コ字状に、前に突出するように取り付けられる。この案内表示装置の支柱２２の側部と支柱２２、２３の上部に、人が体を動かすためのアスレチック器具が設けられる。
【００１０】
また、パイプ状の手摺部材２５、２６内に、照明器具３０が表示部２４側を向けて配設され、表示部２４の表示面が照明器具３０により照明される。照明器具３０の電源部として、上部ケース２７内に太陽電池３１、蓄電体、充電回路、点灯回路、昼夜判別回路、制御回路等が配設される。
【００１１】
すなわち、表示部２４の両側前部に位置する手摺部材２５、２６の中間部には、表示部側に透明部が設けられ、その透明部の内側に照明器具３０が表示部２４の前面に照明光を照射するように配設される。照明器具３０としては、ＬＥＤ、冷陰極管、蛍光灯等が使用され、パイプ状の手摺部材２５、２６内に収納される。
【００１２】
両側の支柱２２、２３間に取り付けた表示部２４は、例えば金属板または合成樹脂板の表面に、地図や各種案内を印刷し或は塗布により描画して構成される。更に、両側支柱２２、２３の上に、横長の上部ケース２７が水平に固定され、その上部ケース２７上に太陽電池（太陽電池パネル）３１が取り付けられる。また、上部ケース２７内には、照明器具３０を点灯するための蓄電体１２、定電圧充電回路１４、昼夜判別回路１７、点灯回路１５、及び制御回路１８が内蔵される。
【００１３】
手摺部材２５、２６は、例えば金属パイプをコ字状に曲げて形成されるが、人が手摺に触れ或は手摺を握るとスイッチオンするタッチスイッチ１３が手摺部材２５、２６に取り付けられる。タッチスイッチ１３としては、公知の静電容量型のタッチスイッチ、或は圧力印加型の面スイッチ等が使用できる。
【００１４】
表示部２４を照明するために手摺部材２５、２６内に配設された照明器具３０は、図４に示すように、太陽電池３１の起電力を用いて点灯動作する。図４のように、太陽電池３１の正極側には逆流防止用ダイオード１６を介して定電圧充電回路１４が接続され、定電圧充電回路１４の出力側に蓄電体１２が接続され、太陽電池３１で発生した起電力は充電回路１４を通して蓄電体１２に蓄電される。蓄電体１２としては、電気二重層コンデンサー、小形密閉式鉛蓄電池などを使用することができる。
【００１５】
蓄電体１２に点灯回路１５が接続され、点灯回路１５に照明器具３０が接続される。点灯回路１５にはその点灯・消灯動作を制御する制御回路１８が接続される。制御回路１８にはタッチスイッチ１３及び昼夜判別回路１７が接続され、この制御回路１８は、昼夜判別回路が夜を判別した状態で、且つタッチスイッチ１３がオンしたとき、点灯回路１５をオン動作させ、所定時間後に消灯するように構成される。昼夜判別回路１７は、太陽電池３１の起電圧を検出し、予め設定した基準電圧よりその起電圧が高い場合、昼間と判断し、その起電圧が低い場合、夜間と判断し、その判別信号を制御回路１８に送る。
【００１６】
アスレチック器具としては、支柱２２の側部に平行棒型アスレチック器具４１が設けられる。この平行棒型アスレチック器具４１は金属パイプを略Ｕ字形に曲げて形成され、図２に示すように、人が、体をＬ字形にした状態で２本の腕で体を支持するように、運動を行なうことができる。また、支柱２２と２３の上部位置に鉄棒型アスレチック器具４２が前方に水平に突き出すように設けられる。この鉄棒型アスレチック器具４２は、図１に示すように、人がぶら下がるように使用され、体のストレッチや上腕等の運動に使用することができる。
【００１７】
このように構成された案内表示装置は、公園、歩道、バス停等の場所に、その地面に打設した基礎コンクリート内に、支柱２２、２３の下端を固定するようにして、設置される。電源に太陽電池３１を使用するため、商用電力を敷設する必要はない。表示部２４にはその地区の地図、各種の案内、バス停に設置する場合は、バスの運行案内等が表示される。
【００１８】
地図や案内を見るために案内表示装置の近くに訪れた人、特に足腰の弱い老人等が、その案内表示装置の案内表示を見ていて疲れたような場合、支柱２２、２３に設けた手摺部材２５、２６を持って休むことができる。
【００１９】
更に、夜間には、人が手摺部材２５又は２６を握り或は触れると、タッチスイッチ１３がオンして、照明器具３０が点灯し、表示部２４を照明するので、案内表示を良好に見ることができる。
【００２０】
このような構成の案内表示装置を公園等に設置した場合、案内を表示するだけではなく、そこに集う人々に体の運動を促し、人々が平行棒型アスレチック器具４１や鉄棒型アスレチック器具４２を使用して運動を行なうことにより、健康の促進を図ることができる。
【００２１】
以上説明したように、本発明の案内表示装置によれば、支柱の側部に又は支柱の上部に人が体を動かすためのアスレチック器具が設けられるから、公園等に設置した場合、案内を表示するだけではなく、そこに集う人々に体の運動を促し、人々がアスレチック器具を使用して運動を行なうことにより、健康の促進を図ることができる。
【図面の簡単な説明】
【００２２】
【図１】本発明の一実施形態を示す案内表示装置の正面図である。
【図２】同案内表示装置の右側面図である。
【図３】同案内表示装置の平面図である。
【図４】照明器具３０の点灯用電気回路のブロック図である。
【符号の説明】
【００２３】
１２−蓄電体
１３−タッチスイッチ
２２、２３−支柱
２４−表示部
２５、２６−手摺部材
３０−照明器具
３１−太陽電池
４１−平行棒型アスレチック器具
４２−鉄棒型アスレチック器具
【図１】
2005128569.tif 000003
【図２】
2005128569.tif 000004
【図３】
2005128569.tif 000005
【図４】
2005128569.tif 000006